(57)【要約】      （修正有）【課題】電気柵の網の下方の地表に生える草の成長を抑制して草刈に要する労力を大幅に削減でき、しかも衝撃電圧電源より発生した衝撃電流が害獣の体内を通り効果的に害獣に衝撃を与えられる電気柵の防草シートを提供する。【解決手段】防草シートとして電気的良導体である金属製薄板１０を用いて、防草シートにより電気柵による害獣の感電が阻害されないようにする。また金属製薄板１０は板なので草の芽が通過することが無く草の成長が阻害されるので、草刈の労力を大幅に削減できる。化学繊維を織って作られた従来の防草シートに比べて金属製薄板１０は可撓性に乏しくそのままでは敷設が困難となるので、敷設の方向を変更する際の作業を容易にするために予め金属製薄板１０の表面に金属製薄板１０の幅方向に等間隔の平行線１２を書き込み、また留め具で金属製薄板１０を地表に固定するための穴１３を、平行線１２上の金属製薄板１０の両端近くに予め開けておくことによって敷設の困難を緩和する。【選択図】図４
0003187982.tif 000002
【実用新案登録請求の範囲】
【請求項１】
田畑の周囲に導電性の網を設置しその導電部に衝撃高圧を印加して、侵入しようとする猿、猪、ハクビシンなどの害獣を感電させることによって撃退する電気柵において、以下のように構成した、電気柵を設置した地表に草が生えることを防止するための電気柵用防草シート
（ア）電気柵を設置した地表に金属製薄板を敷設して、地表に草が生えることを防止          するための防草シートとする。
（イ）この金属製薄板の表面に金属製薄板の長さ方向の中心線を書き、防草シートを          敷設した後の電気柵の支柱の立設や導電性の網の張設を行い易くする。
（ウ）上記の中心線と直交する平行線を等間隔に書いて、可撓性の無い金属製薄板を          地表に敷設する時に進行方向を変える作業を行い易くする。
（エ）上記の平行線上の金属製薄板の両端の近くにそれぞれ穴を開けて、留め具を使          って金属製薄板を地表に固定する作業を行い易くする。
【請求項２】
上記の金属製薄板の表面に書かれた金属製薄板の長さ方向の中心線上に等間隔に穴を開けて、電気柵の網の下端を地表に固定する作業を行い易くした請求項１の電気柵用防草シート
【考案の詳細な説明】
【考案の詳細な説明】
【技術分野】
【０００１】本考案は、畑の周囲に導電性の網を設置しその導電部に衝撃高圧を印加して、侵入しようとする猿、猪、ハクビシンなどの害獣を感電させることによって撃退する電気柵に関するものである。
【背景技術】
【０００２】近年山間地域の畑において猿、猪、ハクビシンなどの害獣の侵入による被害が多発しているため、畑の作物の周囲に電気柵を設置することが行なわれている。この電気柵は図１に示すように、立設された絶縁物製の支柱１により、絶縁帯２と導電帯３を交互に配置した網４を畑の周囲に張設し、その導電帯３に衝撃高圧電源５より発生する６，０００Ｖ〜７，０００Ｖの衝撃高圧を印加するものである。【０００３】図２において猪６などの害獣が田畑に侵入しようとしてこの張設された網４の導電帯３に触れると、矢印のように、衝撃高圧電源５→網４の導電帯３→猪６→地表７→アース棒８→衝撃高圧電源５  のルートで衝撃電流が流れて猪６は感電する。【０００４】しかしながら導電帯３の下の地表７に草が生えて成長し導電帯３に接触すると、草を通じて漏れ電流が流れるために導電帯３にかかる衝撃電圧が減少するので、猪６に有効に衝撃電流を流せなくなる。それを防ぐために導電帯３の下方の草を刈り取る作業が必要となるが、地表７と導電帯３の距離は２０ｃｍ程度なので夏のような草の成長が速い季節には２週間毎に草刈をしなければならない。【０００５】導電帯３の下方の地表７に草が生えることを防止する有効な手段は、図３のように地表７に防草シート９を敷設することである。防草シート９とは化学繊維を織って作られたシートであって、成長する草の芽が防草シート９を通過し難いことと日光を遮断して草が光合成を行うことを妨害することによって草の成長を抑えることができる。【０００６】しかしながらこの防草シート９は化学繊維を織って作られているので、以下のような欠点がある。
（１）防草シート９それ自体が電気的絶縁物である。図３のように猪６が防草                シート９の上に乗ってしまうと猪６は地表７から電気的に絶縁されるの                で、猪６が導電帯３に触れても導電帯３から地表７に向かって衝撃電流                が流れないので猪６は感電しなくなり、電気柵本来の目的を果たせなく                なってしまう。この弊害を防ぐために化学繊維に金属線を撚り込んだ糸                で織られた導電性の防草シートが開発されているが、化学繊維を織って                作られた従来の防草シートの５倍以上の価格である。
（２）防草シート９は化学繊維を織って作られた織物なので、スギナやチガヤ                などの成長力の強い草の芽は織物の隙間を通過してしまう。
【考案の開示】
【考案が解決しようとする課題】
【０００７】そこで本考案が解決しようとする課題は、化学繊維を織って作られた従来の防草シートのように安価で、電気柵の網４の下方の草の成長を抑制して草刈に要する労力を大幅に削減でき、しかも衝撃高圧電源５より発生した衝撃電流が害獣の体内を通り効果的に害獣に衝撃を与えられる防草シートを提供することにある。
【課題を解決するための手段】
【０００８】本考案では金属製薄板を電気柵の下方の地表に敷設して、防草シートとすることにした。金属製薄板は電気的良導体であり、しかも板なので草の芽が通過できる隙間は無い。したがって［０００６］で述べた２つの問題点は解決でき、化学繊維を織って作られた従来の防草シートのように安価である。【０００９】しかしながら金属製薄板は化学繊維を織って作られた防草シートに比べて可撓性に乏しいので、敷設が困難となる。その困難を緩和するために以下のような対策を考案した。
（３）図４に示すようにこの金属製薄板１０の表面に金属製薄板１０の長さ方                向の中心線１１を書く。防草シートを敷設した後の電気柵の支柱１の立                設や導電性の網４の地表７への固定は、この中心線１１の上で行えばよ                いのでこれらの作業が行い易くなる。
（４）図４に示すように上記の中心線１１と直交する平行線１２を数十ｃｍの                等間隔に書いて、可撓性の無い金属製薄板１０を地表に敷設する時に進                行方向を変える作業を行い易くする。この作業については［００１０］                で詳述する。
（５）図４に示すように上記の平行線１２上の金属製薄板１０の両端の近くに                それぞれ穴１３を開けて、留め具を使って金属製薄板を地表に固定する                作業を行い易くする。
（６）図５に示すように金属製薄板１０の表面に書かれた長さ方向の中心線１                １上に数十ｃｍの等間隔に穴１３を開けて、電気柵の網４の下端を留め                具により地表に固定する作業を行い易くする。【００１０】以下に金属製薄板１０を防草シートとして地表に敷設する手順を述べる。
（１１）図６のようにトイレットペーパー状に巻かれた金属製薄板１０のコイル                １０ａを、地上で転がしながら金属製薄板１０を巻きほぐして地表に置                いていく。
（１２）金属製薄板１０に等間隔に書いてある平行線１２上にあり、金属製薄板                １０の両端近くに開けられた穴１３に留め具１４を差し込んで、金属製                薄板１０を地表に固定する。
（１３）金属製薄板１０の方向を変えるべき位置に来たら、図６のようにその位                置の穴Ａ０とＢ０を結ぶ平行線１２に沿って金属製薄板１０を上方に凸                になるように折り曲げて曲げ癖を付けておく。
以下の説明のために穴１３に番号をつけておく。つまり金属製薄板１０                の敷設が進行する方向に対して左側の穴１３をＡで表し右側の穴１３を                Ｂで表す。そして金属製薄板１０の方向を変えるべき位置の穴をＡ０と                Ｂ０とし、それより前の穴を  Ａ−１，Ａ−２，Ａ−３−−−とＢ−１                ，Ｂ−２，Ｂ−３−−−とする。Ａ０とＢ０より後の穴を  Ａ＋１，Ａ                ＋２，Ａ＋３−−−とＢ＋１，Ｂ＋２，Ｂ＋３−−−とする。
（１４）図７のように金属製薄板１０の敷設ルートをＡ０の位置で進行方向に対                して右側に曲げる場合、金属製薄板１０の左側の端面に弛みはできない                のでまずＡ０及びＡ０より前の穴（Ａ０，Ａ−１，Ａ−２，Ａ−３，−                −−）は全て留め具１４で地表に固定する。そして金属製薄板１０の敷                設ルートを右側に曲げた後に、Ａ０より後の穴（Ａ＋１，Ａ＋２，Ａ＋                ３，−−−）を留め具１４で地表に固定する。一方金属製薄板１０の右                側の端面にはＢ０付近で弛みができるので、Ｂ０を中心に５個の穴（つ                まりＢ−２，Ｂ−１，Ｂ０，Ｂ＋１，Ｂ＋２の５個）は固定せずそれ以                外の穴は地表に固定しておく。
（１５）図８のように（１３）で付けた曲げ癖に従って金属製薄板１０を折り曲                げて、Ａ０とＢ０を結ぶ平行線１２の両側の金属製薄板１０を重ねて図                ９のようにする。
（１６）その結果地表から直角三角形の形で立ち上がっている弛みの部分を図１                ０のように折り曲げて地表に倒し、固定していなかった５個の穴（Ｂ−                ２，Ｂ−１，Ｂ０，Ｂ＋１，Ｂ＋２の５個）を固定する。【００１１】
【考案の効果】本考案の効果は以下の通りである。
（１７）防草シートとして金属製薄板１０を用いれば、金属製薄板１０は電気的                良導体なので防草シートにより電気柵による害獣の感電が阻害されるこ                とは無い。
（１８）金属製薄板１０は板なので草の芽が通過することが無く、草の成長が阻                害されるので草刈の労力を大幅に削減できる。しかも化学繊維を織って                作られた従来の防草シート同様に安価である。
（１９）化学繊維を織って作られた従来の防草シートに比べて、金属製薄板１０                は可撓性に乏しいのでそのままでは敷設が困難であるが、本考案のよう                に敷設の方向を変更する際の作業を容易にするために金属製薄板１０の                表面に金属製薄板１０の幅方向に等間隔の平行線１２を予め書き込み、                留め具１４で金属製薄板１０を地表に固定するための穴１３を予め開け                ておけば敷設の困難は緩和される。
【考案を実施するための最良の形態】
【００１２】防草シートとして用いる金属製薄板１０は、板幅１ｍ、板厚０．４ｍｍの亜鉛メッキ鋼板が適当である。
【図面の簡単な説明】
【００１３】
【図１】既存の電気柵の正面図である。
【図２】既存の電気柵の鉛直方向の断面図である。
【図３】既存の電気柵に防草シートを敷設した場合の鉛直方向の断面図である。
【図４】請求項１に述べる金属製薄板を用いた防草シートの平面図である。
【図５】請求項２に述べる金属製薄板を用いた防草シートの平面図である。
【図６】〜
【図１０】金属製薄板を用いた防草シートの敷設の方向を変更する手順を示す図面である。
【符号の説明】１  支柱、２  絶縁帯、３  導電帯、４  電気柵の網、５  衝撃高圧電源、６  猪、７  地表、８  アース棒、９  防草シート、１０  金属製薄板、１０ａ  コイル、１１  中心線、１２  平行線、１３  穴、１４  留め具
【図１】
0003187982.tif 000003
【図２】
0003187982.tif 000004
【図３】
0003187982.tif 000005
【図４】
0003187982.tif 000006
【図５】
0003187982.tif 000007
【図６】
0003187982.tif 000008
【図７】
0003187982.tif 000009
【図８】
0003187982.tif 000010
【図９】
0003187982.tif 000011
【図１０】
0003187982.tif 000012